(57)【要約】      （修正有）【課題】操作者が使用する場合に想定される様々なパターンに対し銘板を常に見やすくして、銘板の識別と判読による対処が迅速且つ的確に行うことを可能とする。【解決手段】トンネル壁面に沿った監視員通路１４に消火栓収納箱が埋込み設置され、内部に泡ノズル付きのホースが収納される。筐体の前面には前扉が上下方向にスライド開閉自在に配置され、監視員通路１４側となる筐体の上面に、上扉３２が前開き及び後開きができるように配置される。上扉３２の裏面には取扱い説明用レンチキュラー表示部１２０が設けられ、上扉３２を前開きして道路１５側から見た場合に道路１５側からの所定の取扱い内容が見え、上扉３２を後開きして監視員通路１４側から見た場合に監視員通路１４からの所定の取扱い内容が見えるように構成される。【選択図】図８
2018047078.tif 000002
【特許請求の範囲】
【請求項１】
トンネル内に設置され、開閉自在な扉を備えた筐体内にノズル付きホースが収納されたトンネル内消火栓収納箱に於いて、
前記筐体及び又は前記扉の所定位置に、異なる方向から見た場合に、異なった表示内容が見えるレンチキュラー表示板が設けられたことを特徴とするトンネル内消火栓収納箱。
【請求項２】
請求項１記載のトンネル内消火栓収納箱に於いて、
前記筐体はトンネル壁面に沿った監視員通路に埋込み設置され、
道路側となる前記筐体の前面に、上下方向にスライド開閉自在に前扉が配置され、
前記監視員通路面側となる前記筐体の上面に、前開き及び後開き自在に上扉が配置され、
前記筐体、前記上扉、及び又は前記前扉の所定位置に、異なる複数方向から見た場合に、異なった表示内容が見えるレンチキュラー表示板が設けられたことを特徴とするトンネル内消火栓収納箱。
【請求項３】
請求項２記載のトンネル内消火栓収納箱に於いて、
前記レンチキュラー表示板は、前記上扉の裏面に設けられ、前記上扉を前開きして前記道路側から見た場合に道路側からの所定の取扱い内容が見え、前記上扉を後開きして前記監視員通路側から見た場合に監視員通路からの所定の取扱い内容が見えるように構成されたことを特徴とするトンネル内消火栓収納箱。
【請求項４】
請求項２記載のトンネル内消火栓収納箱に於いて、
前記レンチキュラー表示板を左方向から見た場合に前記前扉の機器名称を示す横並び文字は右方向に横並びして見え、前記上扉の機器名称を示す縦並び文字は奥行方向から手前に縦並びして見え、
前記レンチキュラー表示板を右方向から見た場合に前記前扉の機器名称を示す横並び文字は左方向に横並びして見え、前記上扉の機器名称を示す縦並び文字は奥行方向から手前に縦並びして見えるように構成されたことを特徴とするトンネル内消火栓収納箱。
【請求項５】
請求項１記載のトンネル内消火栓収納箱に於いて、
前記レンチキュラー表示板を左右方向から見た場合に機器名称が見え、正面方向から見た場合に避難誘導内容が見えるように構成されたことを特徴とするトンネル内消火栓収納箱。
【請求項６】
請求項１記載のトンネル内消火栓収納箱に於いて、
前記レンチキュラー表示板は、異なる２方向から見た場合に、異なった言語による表示内容が見えるように構成されたことを特徴とするトンネル内消火栓収納箱。
【請求項７】
請求項１記載のトンネル内消火栓収納箱に於いて、
前記レンチキュラー表示板は、異なる２方向から見た場合に、機器の取扱い内容が２つに分けて見えるように構成されたことを特徴とするトンネル内消火栓収納箱。
【請求項８】
トンネル内に設置され、開閉自在な扉を備えた筐体内に消火器が収納されたトンネル内消火器箱に於いて、
前記筐体及び又は前記扉の所定位置に、異なる複数方向から見た場合に、異なった表示内容が見えるレンチキュラー表示板が設けられたことを特徴とするトンネル内消火器箱。
【請求項９】
請求項８記載のトンネル内消火器箱に於いて、
前記筐体はトンネル壁面に沿った監視員通路に埋込み設置され、
道路側となる前記筐体の前面に、上下方向にスライド開閉自在に前扉が配置され、
前記監視員通路面側となる前記筐体の上面に、前開き及び後開き自在に上扉が配置され、
前記筐体、前記上扉、及び又は前記前扉の所定位置に、異なる複数方向から見た場合に、異なった表示内容が見える前記レンチキュラー表示板が設けられたことを特徴とするトンネル内消火器箱。
【請求項１０】
請求項９記載のトンネル内消火器箱に於いて、
前記レンチキュラー表示板は、前記上扉の裏面に設けられ、前記上扉を前開きして前記道路側から見た場合に道路側からの所定の取扱い内容が見え、前記上扉を後開きして前記監視員通路側から見た場合に監視員通路からの所定の取扱い内容が見えるように構成されたことを特徴とするトンネル内消火器箱。
【請求項１１】
請求項８記載のトンネル内消火器箱に於いて、
前記レンチキュラー表示板を左方向から見た場合に機器名称を示す横並び文字は右方向に横並びして見え、前記機器名称を示す縦並び文字は左方向に縦並びして見え、
前記レンチキュラー表示板を右方向から見た場合に機器名称を示す横並び文字は左方向に横並びして見え、前記機器名称を示す縦並び文字は右方向に縦並びして見えるように構成されたことを特徴とするトンネル内消火器箱。
【請求項１２】
請求項８記載のトンネル内消火器箱に於いて、
前記レンチキュラー表示板を左右方向から見た場合に機器名称が見え、正面方向から見た場合に避難誘導内容が見えるように構成されたことを特徴とするトンネル内消火器箱。
【請求項１３】
請求項８記載のトンネル内消火器箱に於いて、
前記レンチキュラー表示板は、異なる２方向から見た場合に、異なった言語による表示内容が見えるように構成されたことを特徴とするトンネル内消火器箱。
【請求項１４】
請求項８記載のトンネル内消火器箱に於いて、
前記レンチキュラー表示板は、異なる２方向から見た場合に、機器の取扱い説明が２つに分けて見えるように構成されたことを特徴とするトンネル内消火器箱。
【発明の詳細な説明】
【技術分野】
【０００１】
本発明は、トンネル非常用設備として監視員通路に設けられたトンネル内消火栓収納箱及び消火器箱に関する。
【背景技術】
【０００２】
従来、高速道路や自動車専用道などのトンネルには、トンネル内で発生する火災事故から人身及び車両を守るため、非常用設備が設置されている。
【０００３】
このような非常用設備としては、火災の監視と通報のため火災検知器、手動通報装置及び非常電話が設けられ、また火災の消火や延焼防止のために消火栓装置及び消火器箱が設けられ、更にトンネル躯体を火災から防護するために水噴霧ヘッドから消火用水を散水させる水噴霧設備などが設置され、非常用設備の設備機器を監視センターに設けられた防災受信盤からの伝送回線に接続して監視制御が行われている。
【０００４】
例えば消火栓装置は、トンネル内に設けた監視員通路に面した側壁に沿って５０メートル間隔で設置され、開放自在な消火栓扉を備えた筐体（消火栓収納箱）に、先端にノズルを装着したホースとバルブ類が収納されている。
【０００５】
また、消火器箱は、消火栓装置と一体に設けられるか、あるいは消火器箱単独で設けられ、トンネル内に設けた監視員通路に面した側壁に沿って例えば５０メートル間隔で設置されている。
【０００６】
監視員通路は路面に対し１メートル程度高くした側壁通路として設けられており、トンネル内の車両通行を妨げることなく且つ安全にトンネル内に設置している消火器箱を含む各種の機器の点検を行うことを可能としている。
【０００７】
火災を伴う車両事故が発生した場合には、事故車両の運転者等の利用者は、消火栓装置の消火栓扉を開いてノズル付きホースを引き出して消火作業を行うか、或いは、消火器箱の消火器扉を開いて消火器を取出して消火作業を行うことができる。
【先行技術文献】
【特許文献】
【０００８】
【特許文献１】特開２００８−０５５０２４号公報
【特許文献２】特開２００９−２８５１２６号公報
【特許文献３】特開２０１４−８３３４４号公報
【発明の概要】
【発明が解決しようとする課題】
【０００９】
ところで、トンネル内に設置された消火栓装置や消火器箱の外部には、「消火栓」、「泡消火栓」、「消火器」といった機器名称を表記した銘板、「ＳＯＳ」と表記された発信機を示す銘板が設けられ、また、筐体内部には、機器の操作方法を示した操作銘板等が設けられ、車両事故に伴う火災が発生した場合に、いち早く知らせることを可能とし、また、迅速そして的確に消火活動を可能としている。
【００１０】
このような従来の消火栓装置や消火器箱に設けられた銘板にあっては、操作者が消火栓装置や消火器箱にほぼ正面で正対したときに、判別できる大きさで、確実に識別でき、また判読して操作できる指示を示している。
【００１１】
しかしながら、従来の銘板は、一方向から見ることしか想定しておらず、消火栓装置や消火器箱に対し操作者が左右前後のいずれの方向から来るかは配慮されておらず、また、設置高さ、道路利用者の身長、立ち位置等、様々なパターンが考えられ、これに対し従来の銘板は常に見やすいということができない場合もあり、消火栓装置及び消火器箱の銘板として必要な機能を十分に達成できていない場合もある。
【００１２】
本発明は、操作者が使用する場合に想定される様々なパターンに対し銘板を常に見やすくして、銘板の識別と判読による対処が迅速且つ的確に行うことを可能とするトンネル内消火栓収納箱及び消火器箱を提供することを目的とする。
【課題を解決するための手段】
【００１３】
（消火栓収納箱）
本発明は、トンネル内に設置され、開閉自在な扉を備えた筐体内にノズル付きホースが収納されたトンネル内消火栓収納箱に於いて、
筐体及び又は扉の所定位置に、異なる方向から見た場合に、同一又は異なった表示内容が見えるレンチキュラー表示板が設けられたことを特徴とする。
【００１４】
（監視員通路に埋込設置された消火栓収納箱）
筐体はトンネル壁面に沿った監視員通路に埋込み設置され、
道路側となる筐体の前面に、上下方向にスライド開閉自在に前扉が配置され、
監視員通路面側となる筐体の上面に、前開き及び後開き自在に上扉が配置され、
筐体、上扉、及び又は前扉の所定位置に、異なる複数方向から見た場合に、異なった表示内容が見えるレンチキュラー表示板が設けられる。
【００１５】
（上扉裏面の取扱い説明表示）
レンチキュラー表示板は、上扉の裏面に設けられ、上扉を前開きして道路側から見た場合に所定の道路側からの取扱い内容が見え、上扉を後開きして監視員通路側から見た場合に所定の監視員通路からの取扱い内容が見えるように構成される。
【００１６】
（機器名称の表示）
レンチキュラー表示板は、前扉の前面及び又は上扉の上面に設けられ、
レンチキュラー表示板を左方向から見た場合に前扉の機器名称を示す横並び文字列は右方向に横並びして見え、上扉の機器名称を示す縦並び文字列は奥行方向から手前に縦並びして見え、
レンチキュラー表示板を右方向から見た場合に前扉の機器名称を示す横並び文字列は左方向に横並びして見え、上扉の機器名称を示す縦並び文字列は奥行方向から手前に縦並びして見えるように構成される。
【００１７】
（機器名称と避難誘導内容の表示）
レンチキュラー表示板は、前扉の前面及び又は上扉の上面に設けられ、
レンチキュラー表示板を左方向又は右方向から見た場合に機器名称が見え、正面方向から見た場合に避難誘導内容が見えるように構成される。
【００１８】
（異なる言語表示）
レンチキュラー表示板は、異なる２方向から見た場合に、異なった言語による表示内容が見えるように構成される。
【００１９】
（機器取扱い内容の分割表示）
レンチキュラー表示板は、異なる２方向から見た場合に、機器の取扱い説明が２つに分けて見えるように構成される。
【００２０】
（消火器箱）
本発明は、トンネル内に設置され、開閉自在な扉を備えた筐体内に消火器が収納されたトンネル内消火器箱に於いて、
筐体及び又は前記扉の所定位置に、異なる複数方向から見た場合に、同一又は異なった表示内容が見えるレンチキュラー表示板が設けられたことを特徴とする。
【００２１】
（監視員通路に埋込設置された消火器箱）
筐体はトンネル壁面に沿った監視員通路に埋込み設置され、
道路側となる筐体の前面に、上下方向にスライド開閉自在に前扉が配置され、
監視員通路面側となる筐体の上面に、前開き及び後開き自在に上扉が配置され、
筐体、上扉、及び又は前扉の所定位置に、異なる複数方向から見た場合に、異なった表示内容が見えるレンチキュラー表示板が設けられる。
【００２２】
なお、消火器箱のレンチキュラー表示板について、上扉裏面の取扱い説明表示、機器名称の表示、避難誘導内容の表示、異なる言語表示、機器取扱い内容の分割表示は、消火栓収納箱の場合と同様になることから、省略する。
【発明の効果】
【００２３】
（消火栓収納箱の基本的な効果）
本発明は、トンネル内に設置され、開閉自在な扉を備えた筐体内にノズル付きホースが収納されたトンネル内消火栓収納箱に於いて、筐体及び又は前記扉の所定位置に、異なる方向から見た場合に、同一又は異なった表示内容が見えるレンチキュラー表示板が設けられたため、消火栓収納箱に対し異なる方向から近づいた場合には、同じ銘板内容を見ることができたり、必要に応じて異なった銘板内容をみることができ、操作者の近づく方向、身長、立ち位置、消火栓収納箱の設置場所といった様々な状況に対し、銘板を常に見やすくして、銘板の識別と判読による対処が迅速且つ的確に行われることを可能とする。
【００２４】
（監視員通路に埋込設置された消火栓収納箱の効果）
また、シールド工法等により作られた都市型トンネルにあっては、筐体はトンネル壁面に沿った監視員通路に埋込み設置され、道路側となる筐体の前面に、上下方向にスライド開閉自在に前扉が配置され、監視員通路面側となる筐体の上面に、前開き及び後開き自在に上扉が配置され、筐体、上扉、及び又は前扉の所定位置に、異なる複数方向から見た場合に、異なった表示内容が見えるレンチキュラー表示板が設けられたため、消火栓収納箱を操作者が道路側から操作する場合と監視員通路から操作する場合の各々について、筐体、上扉及び又は前扉に設けられたレンチキュラー表示板により、操作者の近づく方向、身長、立ち位置、消火栓収納箱の設置場所といった様々な状況に対し、銘板を常に見やすくして、銘板の識別と判読による対処が迅速且つ的確に行われることを可能とする。
【００２５】
（上扉裏面の取扱い説明表示の効果）
また、レンチキュラー表示板は、上扉の裏面に設けられ、上扉を前開きして道路側から見た場合に所定の道路側からの取扱い内容が見え、上扉を後開きして監視員通路側から見た場合に所定の監視員通路からの取扱い内容が見えるように構成されたため、従来の銘板では、上扉の前開きに対し上扉を後開きすると銘板が上下逆さまになって判読しづらくなるが、レンチキュラー表示板が上扉の裏面に設けられたことで、上扉の前開きと後開きで、上下の向きが変わらない取扱い内容が表示でき、また、操作場所の相違に対応した異なった操作内容を、スペースを大きくとることなく個別に表示させることができる。
【００２６】
（機器名称の表示による効果）
また、レンチキュラー表示板を左方向から見た場合に前扉の機器名称を示す横並び文字列は右方向に横並びして見え、上扉の機器名称を示す縦並び文字列は奥行方向から手前に縦並びして見え、レンチキュラー表示板を右方向から見た場合に前扉の機器名称を示す横並び文字列は左方向に横並びして見え、上扉の機器名称を示す縦並び文字列は奥行方向から手前に縦並びして見えるように構成されたため、例えば前扉に設けられる機器名称を示す「消火栓」の横並びの文字列は、左方向から見ると右方向に「消火栓」と横並びして見せ、逆に右方向から見ると左方向に「栓火消」と横並びして見せることができ、操作者が向かう方向に応じて見やすいように表示される。
【００２７】
（機器名称と避難誘導内容の表示による効果）
また、レンチキュラー表示板を左方向又は右方向から見た場合に機器名称が見え、正面方向から見た場合に避難誘導内容が見えるように構成されたため、例えば、消火栓収納箱の前扉の機器銘板にレンチキュラー表示板を用いることで、例えば左側又は右側から見ると「泡消火栓」の文字列が見えるが、正面から見ると避難口までの距離と避難方向を示すヒストグラムが見え、設置機器の名称表示と避難誘導板を同じレンチキュラー表示板で実現できる。
【００２８】
（異なる言語表示）
レンチキュラー表示板は、異なる２方向から見た場合に、異なった言語による表示内容が見えるように構成されようにしたため、例えば、消火栓収納箱の前扉の機器銘板にレンチキュラー表示板を用いることで、例えば左側又は右側から見ると「消火栓」の日本語文字列が見え、正面から見ると「ＦＯＡＭ  ＨＹＤＲＡＮＴ」の英語文字列が見え、異なった言語での機器名称を確認可能とする。
【００２９】
（機器取扱い内容の分割表示による効果）
また、レンチキュラー表示板は、異なる２方向から見た場合に、機器の取扱い説明が２つに分けて見えるように構成されるようにしたため、例えば、上扉の裏面に配置されるレンチキュラー表示板に、見る方向の相違により、取扱い内容を分割表示することで、一枚に表示していた従来の銘板に対し、機器の取扱い内容を、より詳しく示すことを可能とする。
【００３０】
（消火器箱）
また、本発明は、トンネル内に設置され、開閉自在な扉を備えた筐体内に消火器が収納されたトンネル内消火器箱に於いて、筐体及び又は前記扉の所定位置に、異なる複数方向から見た場合に、異なった表示内容が見えるレンチキュラー表示板が設けられたため、消火器箱に対し異なる方向から近づいた場合には、同じ銘板内容を見ることができたり、必要に応じて異なった銘板内容をみることができ、操作者の近づく方向、身長、立ち位置、消火器箱の設置場所といった様々な状況に対し、銘板を常に見やすくして、銘板の識別と判読による対処が迅速且つ的確に行われることを可能とする。
【００３１】
（監視員通路に埋込設置された消火器箱の効果）
また、シールド工法等により作られた都市型トンネルにあっては、筐体はトンネル壁面に沿った監視員通路に埋込み設置され、道路側となる筐体の前面に、上下方向にスライド開閉自在に前扉が配置され、監視員通路面側となる筐体の上面に、前開き及び後開き自在に上扉が配置され、筐体、上扉、及び又は前扉の所定位置に、異なる複数方向から見た場合に、異なった表示内容が見えるレンチキュラー表示板が設けられたため、消火器箱を操作者が道路側から操作する場合と監視員通路から操作する場合の各々について、筐体、上扉及び又は前扉に設けられたレンチキュラー表示板により、操作者の近づく方向、身長、立ち位置、消火器箱の設置場所といった様々な状況に対し、銘板を常に見やすくして、銘板の識別と判読による対処が迅速且つ的確に行われることを可能とする。
【００３２】
なお、消火器箱のレンチキュラー表示板について、上扉裏面の取扱い説明表示、機器名称の表示、避難誘導内容の表示、異なる言語表示、機器取扱い内容の分割表示の効果は、消火栓収納箱の場合と同様になることから、その説明は省略する。
【図面の簡単な説明】
【００３３】
【図１】シールドトンネル内に設置した消火栓設備を含むトンネル非常用設備を示した説明図
【図２】消火栓収納箱及び消火器箱の外観を示した説明図
【図３】消火栓収納箱及び消火器箱を道路側から操作する場合の前扉をスライド開放すると共に上扉を前開きした状態を示した説明図
【図４】消火栓収納箱及び消火器箱を監視員通路側から操作する場合の上扉を後開きした状態を示した説明図
【図５】消火栓収納箱及び消火器箱を左方向から見た場合のレンチキュラー表示板による機器名称の表示を示した説明図
【図６】消火栓収納箱及び消火器箱を右方向から見た場合のレンチキュラー表示板による機器名称の表示を示した説明図
【図７】レンチキュラー表示板の構造を示した説明図
【図８】消火栓収納箱を道路側から操作して上扉を前開きした場合に見える上扉裏面に設けたレンチキュラー表示板による取扱い説明を示した説明図
【図９】消火栓収納箱を監視員通路側から操作して上扉を後開きした場合に見える上扉裏面に設けたレンチキュラー表示板による取扱い説明を示した説明図
【図１０】異なる方向から見た場合に、異なった言語による機器名称が見えるように構成されたレンチキュラー表示板の実施形態を示した説明図
【図１１】異なる方向から見た場合に、機器名称と非難誘導の指示内容が見えるように構成されたレンチキュラー表示板の実施形態を示した説明図
【図１２】異なる方向から見た場合に、取扱い説明が分割して見えるように構成されたレンチキュラー表示板の実施形態を従来の表示板と対比して示した説明図
【発明を実施するための形態】
【００３４】
［トンネル非常用設備の概要］
図１は自動車専用道路のトンネル内に設置された消火栓収納箱と消火器箱を含むトンネル非常用設備を示した説明図である。図１に示すように、シールド工法により構築されたトンネル１０内は円筒形のトンネル壁面１２により覆われ、床版１７により仕切られることで道路１５が設けられており、この例にあっては、道路１５は１方向２車線としている。
【００３５】
床版１７で仕切られた道路１５の左側のトンネル壁面１２に沿って監視員通路１４が設けられ、監視員通路１４の下側の内部空間はダクト２２として利用され、電線管等が敷設される。監視員通路１４は例えば高さが９０センチメートル、横幅が７０センチメートルといった大きさをもつ。
【００３６】
道路１５が形成された床版１７の下側はトンネル横方向に複数の区画に仕切られており、例えば、監視員通路１４の下に位置する区画は、管理用通路１８として使用され、また、管理用通路１８はトンネル内での火災発生時には、緊急避難通路として使用される。管理用通路１８には給水本管１９が敷設されている。
【００３７】
トンネル１０の長手方向の５０メートルおきには、消火栓設備１６が設置され、消火栓設備１６はホースが収納された消火栓収納箱２０と例えば２本の消火器を収納した消火器箱２４が配置され、消火栓収納箱２０に対し放水制御機構収納部２１が管理用通路１８に分離して設置されている。
【００３８】
消火栓収納箱２０及び消火器箱２４は、監視員通路１４の路面及び道路１５側の壁面にかけて箱形に刳り貫かれた消火栓埋込部に配置されている。なお、消火栓収納箱２０と消火器箱２４は分離して配置される場合もあるが、以下の説明は、両者を一体に設けた場合を例にとっている。
【００３９】
［消火栓設備］
図２は消火栓収納箱及び消火器箱の外観を示した説明図、図３は消火栓収納箱及び消火器箱を道路側から操作する場合の前扉をスライド開放すると共に上扉を前開きした状態を示した説明図、図４は消火栓収納箱及び消火器箱を監視員通路側から操作する場合の上扉を後開きした状態を示した説明図である。
【００４０】
（消火栓収納箱の外観構造）
図２に示すように、消火栓収納箱２０は、監視員通路１４の路面下の内部空間に埋込み設置されている。消火栓収納箱２０は、筐体２６の前面中央の下側に固定扉２８が設けられ、その上側に前扉３０が上下方向にスライド開閉自在に配置されている。
【００４１】
また、消火栓収納箱２０の監視員通路１４の路面側となる上面には、前扉３０と同じ横幅の上扉３２が配置されている。上扉３２は、図３に示す前開きと、図４に示す後開きができる。
【００４２】
ここで、上扉３２で示す前開きとは、図３に示すように、上扉３２の奥行側の後縁部を軸として開閉されることを意味し、また、上扉３２の後開きとは、図４に示すように、上扉３２の手前の前縁部を軸として開閉されることを意味する。
【００４３】
前扉３０の表面には、道路１５側から見ることのできる機器名称として「泡消火栓」を示す銘板として機能する機器名称用レンチキュラー表示部６２が配置され、機器名称用レンチキュラー表示部６２は４枚の文字表示用レンチキュラー表示板６２ａ〜６２ｄで構成されている。
【００４４】
また、上前扉３２の表面には、監視員通路１４側から見ることのできる機器名称として同じく「泡消火栓」を示す銘板として機能する機器名称用レンチキュラー表示部６４が配置され、機器名称用レンチキュラー表示部６４は４枚の文字表示用レンチキュラー表示板６４ａ〜６４ｄで構成されている。
【００４５】
機器名称用レンチキュラー表示部６２，６４に設けられたレンチキュラー表示板は、操作者が左方向から見た場合と右方向から見た場合とで、「泡消火栓」の文字配列が異なって見えるように構成されている。このレンチキュラー表示板による表示の詳細は後の説明で明らかにされる。
【００４６】
図２に示すように、通常状態では、消火栓収納箱２０の前扉３０は閉鎖状態にある上扉３２により閉鎖状態に係止されており、利用者が道路１５側から操作する場合には、前開きハンドル３４を開操作すると、上扉３２に対する前扉３０の係止が解除され、図３に示すように、前扉３０は自重により固定扉２８の裏側に落下して消火栓収納箱２０の前面扉開口を開放させ、また、上扉３２を前開きすることで、消火栓収納箱２０の上面扉開口を開放させる。
【００４７】
また、利用者が監視員通路１４側から操作する場合には、後開きハンドル３６を開操作すると、筐体２６に対する上扉３２の係止が解除され、図４に示すように、上扉３２を後開きすることで、消火栓収納箱２０の上面扉開口を開放させる。
【００４８】
図２に示すように、消火栓収納箱２０の前面左側には通報装置パネル４０が設けられる。通報装置パネル４０には、赤色表示灯４２、発信機４４、電話ジャック４６及び応答ランプ４８が設けられている。赤色表示灯４２は常時点灯し、消火栓設備の設置場所が遠方から分かるようにしている。火災時には、発信機４４を押して押し釦スイッチをオンすると、発信信号が監視室の防災受信機に送信されて火災警報が出され、これに伴い応答信号が防災受信機から送られて、応答ランプ４８が点灯され、更に、赤色表示灯４２が点滅される。
【００４９】
（消火栓収納箱の前扉及び上扉の開閉機構）
図３に示すように、上扉３２に設けられた前開きハンドル３４の裏側のハンドル本体３４ａからは、両側に軸部材５０が突出されており、軸部材５０の先端は、前扉３０裏面に固定された軸受部材５２の軸穴に挿入されており、これにより上扉３２に前扉３０を係止させて閉鎖位置に保持させている。
【００５０】
ハンドル本体３４ａの軸部材５０は前開きハンドル３４をリフトアップすると内側に引き込まれ、軸受部材５２の軸穴から抜けることで前扉３０の係止が解除され、前扉３０は自重によりスライドしながら固定扉２８の裏側に落下して前面上部を開口させる。
【００５１】
また、上扉３２の前縁内側には軸部材５４が扉裏面から浮かせた状態で片持ち支持されており、筐体２６側に固定された軸受部材５６に対し、上方から着脱自在に配置されている。軸受部材５６は上方に開口されたボールキャッチ機構が設けられ、軸部材５４を着脱自在に支持する。ここで、ハンドル本体３４ａの軸部材５０と扉裏面両側の軸部材５４は同じ軸中心線に配置されており、上扉３２を後開きする場合の回転中心となる。
【００５２】
また、上扉３２の後縁中央に配置された後開きハンドル３６の裏側のハンドル本体３６ａからは、両側に軸部材５８が突出されており、軸部材５８の先端は、筐体２６の背面内面に固定された軸受部材６０の軸穴に挿入されており、上扉３２の後縁側を筐体２６側に係止させて閉鎖位置に保持させている。
【００５３】
軸部材５８は後開きハンドル３６をリフトアップ（開操作）すると、内側に引き込まれ、軸受部材６０の軸穴から抜けることで、上扉３２の後縁側の係止が解除され、上扉３２の前縁側の軸受部材５６に支持された軸部材５４を中心に、後開きすることができ、これにより上部扉開口を開放させる。
【００５４】
（消火器箱の外観構造）
図２に示すように、消火器箱２４は、監視員通路１４の路面下の内部空間に埋込み設置されている。消火器箱２４は、筐体７６の前面中央に前扉が設けられ、前扉は、下側に固定扉７８が配置され、その上に２枚のスライド扉８０ａ，８０ｂが上下方向にスライド開閉自在に配置されている。
【００５５】
また、消火器箱２４の監視員通路１４の路面側となる上面には、前扉と同じ横幅の上扉８２が配置されている。上扉８２は、図３に示す前開きと、図４に示す後開きができる。
【００５６】
ここで、上扉８２で示す前開きとは、図３に示すように、上扉８２の奥行側の後縁部を軸として上向き回りに開閉されることを意味し、また、上扉８２の後開きとは、図４に示すように、上扉８２の手前の前縁部を軸として上向き回りに開閉されることを意味する。
【００５７】
スライド扉８０ｂの表面には、道路１５側から見ることのできる機器名称として「消火器」を示す銘板として機能する機器名称用レンチキュラー表示部１０２が配置され、機器名称用レンチキュラー表示部１０２は３枚の文字表示用レンチキュラー表示板１０２ａ〜１０２ｃで構成されている。
【００５８】
また、上前扉８２の表面には、監視員通路１４側から見ることのできる機器名称として同じく「消火器」を示す銘板として機能する機器名称用レンチキュラー表示部１０４が配置され、機器名称用レンチキュラー表示部１０４は３枚の文字表示用レンチキュラー表示板１０４ａ〜１０４ｃで構成されている。
【００５９】
機器名称用レンチキュラー表示部１０２，１０４に設けられたレンチキュラー表示板は、操作者が左方向から見た場合と右方向から見た場合として、「消火器」の文字配列が異なって見えるように構成されている。このレンチキュラー表示板による表示の詳細は後の説明で明らかにされる。
【００６０】
図２に示すように、通常状態では、前扉の最上部のスライド扉８０ａは閉鎖状態にある上扉８２により閉鎖状態に係止されており、利用者が道路１５側から操作する場合には、前開きハンドル８４を開操作すると、上扉８２に対するスライド扉８０ａの係止が解除され、図３に示すように、スライド扉８０ａ，８０ｂは自重により固定扉７８の裏側に落下して消火器箱２４の前面扉開口を開放させ、また、上扉８２を前開きすることで、消火器箱２４の上面扉開口を開放させる。
【００６１】
前扉の開放は、固定扉７８の裏側に２枚のスライド扉８０ａ，８０ｂが落下して開放されるため、固定扉７８及びスライド扉８０ａ，８０ｂの高さを同じとすると、前扉の上側の２／３が開放されることとなり、前扉の開口領域を大きくすることで、筐体７８内に収納している消火器２５の道路１５側からの取出しをより行い易くしている。
【００６２】
なお、本実施形態では、前扉を固定扉７８と２枚のスライド扉８０ａ，８０の合計３枚の扉により３分割しているが、分割数を更に増やすことで、前扉を開放した場合の開口領域を更に大きくして、筐体７６内に収納している消火器２５の道路１５側からの取出しをより行い易くできる。
【００６３】
また、利用者が監視員通路１４側から操作する場合には、後開きハンドル８６を開操作すると、筐体７６に対する上扉８２の係止が解除され、図４に示すように、上扉８２を後開きすることで、消火器箱２４の上面扉開口を開放させる。
【００６４】
（消火箱の前扉及び上扉の開閉機構）
消火器箱２４の前扉及び上扉の開閉機構は、基本的に消火栓収納箱２０の場合と同じになる。
【００６５】
図３に示すように、上扉８２に設けられた前開きハンドル８４の裏側のハンドル本体８４ａからは、両側に軸部材９０が突出されており、軸部材９０の先端は、スライド扉８０ａの裏面に固定された軸受部材９２の軸穴に挿入されており、これにより上扉８２にスライド扉８０ａを係止させ、スライド扉８０ａに対しスライド扉８０ｂが吊下げ状態となることで、閉鎖位置に保持させている。
【００６６】
ハンドル本体８４ａの軸部材９０は前開きハンドル８４をリフトアップすると、内側に引き込まれ、軸受部材９２の軸穴から抜けることでスライド扉８０ａの係止が解除され、スライド扉８０ａ，８０ｂは自重によりスライドしながら固定扉７８の裏側に落下して前面上部を開口させる。
【００６７】
また、上扉８２の前縁内側には軸部材９４が扉裏面から浮かせた状態で片持ち支持されており、筐体７６側に固定された軸受部材９６に対し、上方から着脱自在に配置されている。軸受部材９６は上方に開口されたボールキャッチ機構が設けられ、軸部材９４を着脱自在に支持する。ここで、ハンドル本体８４ａの軸部材９０と扉裏面両側の軸部材９４は同じ軸中心線に配置されており、上扉８２を後開きする場合の回転中心となる。
【００６８】
また、上扉８２の後縁中央に配置された後開きハンドル８６の裏側のハンドル本体８６ａからは、両側に軸部材９８が突出されており、軸部材９８の先端は、筐体７６の背面内面に固定された軸受部材１００の軸穴に挿入されており、上扉８２の後縁側を筐体７６側に係止させて閉鎖位置に保持させている。
【００６９】
軸部材９８は後開きハンドル８６をリフトアップ（開操作）すると、内側に引き込まれ、軸受部材１００の軸穴から抜けることで、上扉８２の後縁側の係止が解除され、上扉８２の前縁側の軸受部材９６に支持された軸部材９４を中心に、後開きすることができ、これにより上部扉開口を開放させる。
【００７０】
［レンチキュラー表示板による機器名称の表示］
図５は消火栓収納箱及び消火器箱を左方向から見た場合のレンチキュラー表示板による機器名称の表示を示した説明図、図６は消火栓収納箱及び消火器箱を右方向から見た場合のレンチキュラー表示板による機器名称の表示を示した説明図である。
【００７１】
図５に示すように、消火栓収納箱２０の前扉３０に設けられた機器名称用レンチキュラー表示部６２を視線１０４ａに示すように、操作者が道路１５側に立って左方向から見た場合（トンネル走行方向に向かって見た場合）、４枚の文字用レンチキュラー表示板６２ａ〜６２ａにより機器名称である「泡消火栓」の横書き文字列が左から右に向かって横並びに見えるようになる。
【００７２】
この点は、消火器箱２４のスライド扉８０に設けられた機器名称用レンチキュラー表示部１０２の３枚の文字用レンチキュラー表示板１０２ａ〜１０２ｃによる機器名称である「消火器」についても同様である。
【００７３】
また、消火栓収納箱２０の上扉３２に設けられた機器名称用レンチキュラー表示部６４を視線１０４ｂに示すように、操作者が監視員通路１４に立って左方向から見た場合（トンネル走行方向に向かって見た場合）、４枚の文字用レンチキュラー表示板６４ａ〜６４ａにより機器名称である「泡消火栓」の横書き文字列が奥行方向から手前に向かって縦並びに見えるようになる。
【００７４】
この点は、消火器箱２４の上扉８２の機器名称用レンチキュラー表示部１０４の３枚の文字用レンチキュラー表示板１０４ａ〜１０４ｃによる機器名称である「消火器」についても同様である。
【００７５】
一方、図６に示すように、消火栓収納箱２０の前扉３０に設けられた機器名称用レンチキュラー表示部６２を視線１０６ａに示すように、操作者が道路１５側に立って右方向から見た場合（トンネル走行方向とは逆方向に向かって見た場合）、４枚の文字用レンチキュラー表示板６２ａ〜６２ｄにより機器名称である「泡消火栓」の横書き文字列が、図５の場合とは逆に、右から左に向かって横並びに見えるようになる。
【００７６】
この点は、消火器箱２４のスライド扉８０に設けられた機器名称用レンチキュラー表示部１０２の３枚の文字用レンチキュラー表示板１０２ａ〜１０２ｃによる機器名称である「消火器」についても同様である。
【００７７】
また、消火栓収納箱２０の上扉３２に設けられた機器名称用レンチキュラー表示部６４を視線１０６ｂに示すように、操作者が監視員通路１４に立って右方向から見た場合（トンネル走行方向とは逆方向に向かって見た場合）、４枚の文字用レンチキュラー表示板６４ａ〜６４ｄにより機器名称である「泡消火栓」の横書き文字列が奥行方向から手前に向かって縦並びに見えるようになる。
【００７８】
この点は、消火器箱２４の上扉８２に設けられた機器名称用レンチキュラー表示部１０４の３枚の文字用レンチキュラー表示板１０４ａ〜１０４ｃによる機器名称である「消火器」についても同様である。
【００７９】
このように消火栓収納箱２０や消火器箱２４に対する操作者の見る方向や立ち位置等に対応して、レンチキュラー表示板により機器名称の見やすい表示が行われ、機器名称を常に見やすくして、銘板の識別と判読による対処が迅速且つ的確に行われることを可能とする。
【００８０】
図７はレンチキュラー表示板の構造を示した説明図であり、図７（Ａ）に平面を示し、図７（Ｂ）に断面を示す。
【００８１】
図７に示すように、レンチキュラー表示板１１０は、異なる画像や文字を幅の狭いストライプ１１２，１１４に分割して交互に並べており、その表面にストライプ１１２，１１４をペアとして複数のレンチキュラーレンズ１１６を配置した薄いシート構造を構成している。
【００８２】
このようなレンチキュラー表示板１１０に対し、図７（Ｂ）に示すように、視点１１８ａから見ると、レンチキュラーレンズ１１６によりストライプ１１４による画像又は文字が見え、一方、視点１１８ｂから見ると、レンチキュラーレンズ１１６によりストライプ１１２による画像又は文字が見える。
【００８３】
このため図５及び図６に示した消火栓収納箱２０の前扉３０に配置された文字用レンチキュラー表示板６２ａを例にとると、左方向から見ると「栓」の文字が見え、右方向から見ると「泡」の文字が見えるようにレンチキュラー表示板が構成されていることになる。
【００８４】
［レンチキュラー表示板による取扱い説明の表示］
図８は消火栓収納箱を道路側から操作して上扉を前開きした場合に見える上扉裏面に設けたレンチキュラー表示板による取扱い説明を示した説明図であり、図８（Ａ）に上扉を前開きした消火栓収納箱を示し、図８（Ｂ）に前開きした上扉の裏面に設けられたレンチキュラー表示板による取扱い説明を取り出して示す。
【００８５】
図８（Ａ）に示すように、操作者が道路１５側からの操作により上扉３２を前開きし、これに伴い前扉３０がスライド落下して開放された場合、上扉３２の裏面に設けられた取扱い説明用レンチキュラー表示部１２０は、視線１２２ａに示すように道路１５側から見た場合、図８（Ｂ）に示す取扱い説明を見ることができる。
【００８６】
図８（Ｂ）に示す取扱い説明用レンチキュラー表示部１２０は、３枚のレンチキュラー表示板１２４ａ，１２６ａ，１２８ａを横に並べており、レンチキュラー表示板１２４には「１  ノズルをはずす」とそのイラストが見え、レンチキュラー表示板１２６には「２  レバーを引く」とそのイラストが見え、レンチキュラー表示板１２８には「水がでる」とそのイラストが見える。
【００８７】
図９は消火栓収納箱を監視員通路側から操作して上扉を後開きした場合に見える上扉裏面に設けたレンチキュラー表示板による取扱い説明を示した説明図であり、図９（Ａ）に上扉を後開きした消火栓収納箱を示し、図９（Ｂ）に後開きした上扉の裏面に設けられたレンチキュラー表示板による取扱い説明を取り出して示す。
【００８８】
図９（Ａ）に示すように、操作者が監視員通路１４側からの操作により上扉３２を後開きした場合、上扉３２の裏面に設けられた取扱い説明用レンチキュラー表示部１２０は、視線１２２ｂに示すように監視員通路１４側から見た場合、図９（Ｂ）示す取扱い説明を見ることができる。
【００８９】
図９（Ｂ）に示す取扱い説明用レンチキュラー表示部１２０は、レンチキュラー表示板１２４ｂには「１  ノズルをはずす」とそのイラストが見え、レンチキュラー表示板１２６ｂには「２  レバーを押す」とそのイラストが見え、レンチキュラー表示板１２８ｂには「水がでる」とそのイラストが見える。
【００９０】
即ち、従来の銘板による取扱い説明の表示であれば、図８の上扉３２を前開きした場合に対し、図９のように上扉３２を後開きした場合には、表示板による取扱い説明が上下逆となってしまうが、本実施形態では、取扱い説明用レンチキュラー表示部１２０により、上扉３２の前開きと後ろ開きで上下の向きが逆になっても、図８（Ｂ）と図９（Ｂ）に示したように、両方とも正しく上下配置された同じ取扱い説明を見ることができ、操作場所が相違しても同じ取扱説明を正しい向きに表示させることができる。
【００９１】
［レンチキュラー表示板による異なる言語による機器名称の表示］
図１０は異なる方向から見た場合に、異なった言語による機器名称が見えるように構成されたレンチキュラー表示板の実施形態を示した説明図であり、図１０（Ａ）は日本語による機器名称の表示を示し、図１０（Ｂ）は英語による機器名称の表示を示す。
【００９２】
図１０（Ａ）に示すように、機器名称用レンチキュラー表示部１３０を、視線１３４ａに示すように、左方向から見た場合には日本語による機器名称１３２ａとして「泡消火栓」が見え、一方、図１０（Ｂ）に示すように、同じ機器名称用レンチキュラー表示部１３０を、視線１３４ｂに示すように、右方向から見た場合には英語による機器名称１３２ｂとして「ＦＯＡＭ  ＨＹＤＲＡＮＴ」が見えるようにレンチキュラーを構成している。このため、機器名称を見る方向により異なった言語で確認することが可能となる。
【００９３】
［レンチキュラー表示板による機器名称と避難誘導内容の表示］
図１１は異なる方向から見た場合に、機器名称と避難誘導の指示内容が見えるように構成されたレンチキュラー表示板の実施形態を示した説明図であり、
図１１（Ａ）は機器名称が見える場合を示し、図１１（Ｂ）は避難誘導指示が見える場合を示している。
【００９４】
図１１（Ａ）に示すように、機器名称用レンチキュラー表示部１４０を、視線１４４ａ，１４４ｂに示すように、左方向又は右方向から見た場合には機器名称１４２ａとして「泡消火栓」が見え、一方、図１１（Ｂ）に示すように、同じ機器名称用レンチキュラー表示部１４０を、視線１４４ｃのように正面から見た場合には、避難口の方向を示すヒストグラムとそこまでの距離を示す避難誘導表示１４２ｂが見えるようにレンチキュラーを構成している。
【００９５】
このため機器名称を示す表示板を、機器名称用レンチキュラー表示部１４０とすることで、避難誘導に利用することができる。
【００９６】
［レンチキュラー表示板による取扱い説明の分割表示］
図１２は異なる方向から見た場合に、取扱い説明が分割して見えるように構成されたレンチキュラー表示部の実施形態を従来の表示板と対比して示した説明図であり、図１２（Ａ）に従来の取扱い説明用の表示板を示し、図１２（Ｂ）（Ｃ）に左右から見た場合レンチキュラー表示板による取扱い用説明の詳細表示を示す。
【００９７】
図１２（Ａ）に示すように、図８及び図９に示した上扉の内側に設けられる従来の取扱い説明用表示板２００は、表示板２０２，２０４，２０６に分けて、操作方法を示している。
【００９８】
これに対し本実施形態の取扱い説明用レンチキュラー表示部１５０にあっては、図１２（Ｂ）（Ｃ）に示すように、取扱い説明を２つに分けることで、従来の銘板表示に比べ、更に詳しい操作方法を表示可能としている。
【００９９】
図１２（Ｂ）に示す取扱い説明用レンチキュラー表示部１５０は視線方向１６２ａに示すように左方向から見た場合に見える内容であり、前半の操作方法として、レンチキュラー表示板１５２に「１  ノズルをはずす」とそのイラストが表示され、レンチキュラー表示板１５４には「グリップをしっかり握る」といった詳しい操作方法が表示され、レンチキュラー表示板１５６には「２  レバーを引く」とそのイラストが表示され、レンチキュラー表示板１５８には「レバーを止まるまで引く」といった更に詳しい操作方法が表示され、更に、レンチキュラー表示板１６０には、図示の前半の操作方法を見るための視線の方向を表示させている。
【０１００】
図１２（Ｃ）に示す取扱い説明用レンチキュラー表示部１５０は視線方向１６２ｂに示すように右方向から見た場合に見える内容であり、図１２（Ｂ）に続く後半の操作方法として、レンチキュラー表示板１６２に「水がでる」とそのイラストが表示され、レンチキュラー表示板１６４にはノズルを持ったホースの引き出しによる消火操作方法が詳しく示される。
【０１０１】
更に、レンチキュラー表示板１６６には、図示の後半の操作方法を見るための視線の方向を表示させている。
【０１０２】
このような取扱い説明用レンチキュラー表示部１５０の表示により、見る方向の相違により、取扱い内容を分割表示することで、一枚に表示していた従来の取扱い説明用表示板２００に対し、機器を取扱うための操作方法の内容を、より詳しく示すことを可能とする。
【０１０３】
なお、消火器箱２４の上扉８２の裏面についても、同様に、消火器の操作方法に対する取扱い説明用レンチキュラー表示部により、操作方法を分割して異なる視線方向から見えるようにレンチキュラーを構成することて、更に、詳しい消火器の操作方法を表示可能とする。
【０１０４】
［本発明の変形例］
（レンチキュラー表示板）
上記の実施形態は、異なる２方向から見た場合に、同じ内容又は異なる内容を表示させるレンチキュラー表示板を例にとっているが、２方向を超える複数方向から見た場合に、同じ内容又は異なる内容を表示させるレンチキュラー表示板としても良い。
【０１０５】
（消火栓収納箱と消火器箱）
上記の実施形態は、監視員通路に埋込設置される消火栓収納箱と消火器箱を例にとっているが、監視員通路に沿ったトンネル側壁に埋込み設置されている従来の消火栓装置や消火器箱の表示板についても、同様に、見る方向によって同一内容又は異なった内容を見ることができるレンチキュラー表示部による表示板を設けるようにしても良い。
【０１０６】
（前扉と上扉の扉開閉機構）
上記の実施形態に示した前扉及び上扉を開閉させる扉開閉機構は一例であり、上扉の前開きに伴い前扉の係止を解除してスライド開放させ、また、前扉を閉鎖位置に保持したまま上扉を後ろ開きさせる機能であれば、適宜の機構が含まれる。
【０１０７】
（消火器箱の配置）
上記の実施形態は、消火栓収納箱の片側に、２本の消火器を収納する消火器箱を配置した場合を例にとっているが、消火栓収納箱の両側に、消火器１本を収納する消火器箱を設けるようにしても良い。
【０１０８】
（その他）
また本発明は、その目的と利点を損なうことのない適宜の変形を含み、更に、上記の実施形態に示した数値による限定は受けない。
【符号の説明】
【０１０９】
１０：トンネル
１２：トンネル壁面
１４：監視員通路
１５：道路
１６：消火栓設備
１７：床版
１８：管理用通路
１９：給水本管
２０：消火栓収納箱
２１：放水制御機構収納部
２２：ダクト
２４：消火器箱
２６，７６：筐体
３０：前扉
３２，８２：上扉
３４，８４：前開きハンドル
３４ａ，３６ａ，８４ａ，８６ａ：ハンドル本体
８０ａ，８０ｂ：スライド扉
３６，８６：後開きハンドル
４０：通報装置パネル
５０、５４，５８，９０，９８，：軸部材
５２，５６，６０，９２，９６，１００：軸受部材
６２，６４，１０２，１０４，１３０，１４０：機器名称用レンチキュラー表示部
６２ａ〜６２ｄ，６４ａ〜６４ｄ，１０２ａ〜１０２ｃ，１０４ａ〜１０４ｃ：文字用レンチキュラー表示板
１５０：取扱い説明用レンチキュラー表示部
【図１】
2018047078.tif 000003
【図２】
2018047078.tif 000004
【図３】
2018047078.tif 000005
【図４】
2018047078.tif 000006
【図５】
2018047078.tif 000007
【図６】
2018047078.tif 000008
【図７】
2018047078.tif 000009
【図８】
2018047078.tif 000010
【図９】
2018047078.tif 000011
【図１０】
2018047078.tif 000012
【図１１】
2018047078.tif 000013
【図１２】
2018047078.tif 000014